(57)【特許請求の範囲】
【請求項１】
少なくとも１つの照明ゾーンを有する物品であって、少なくとも１つのガラス−セラミック基材と、この基材に加えて少なくとも１つの光導波路を含み、この導波路は前記照明ゾーンの外側の１辺で少なくとも１つの光源に連結されており、且つ当該物品は前記照明ゾーンに、前記光源によって放射された放射線を抽出する手段を少なくとも１つ含んでおり、前記光導波路が少なくとも１つの照明ゾーンに少なくとも１つの開口部を含み、前記開口部が円錐台状の開口部であり及び／又は前記光導波路がガラスプレートである、少なくとも１つの照明ゾーンを有する物品。
【請求項２】
前記基材がガラス−セラミックプレートであることを特徴とする、請求項１記載の物品。
【請求項３】
前記照明ゾーンが少なくとも１つの加熱ゾーンを取り囲みその存在を示すためのものであることを特徴とする、請求項１又は２記載の物品。
【請求項４】
前記光源が発光ダイオードで形成されていることを特徴とする、請求項１〜３の１つに記載の物品。
【請求項５】
前記照明ゾーンが前記加熱ゾーンを取り囲みその存在を示すためのものであることを特徴とする、請求項１〜４の１つに記載の物品。
【請求項６】
前記開口部が斜角を持った１以上の端部を有し、及び／又は前記開口部の１以上の端部の形状と粗さが局所的で且つ制御された光の抽出を可能にするよう処理されていることを特徴とする、請求項５記載の物品。
【請求項７】
前記光導波路が、光の局所的で且つ制御された抽出を可能にするよう、その表面の少なくとも一部分に、粗いゾーンを含むことを特徴とする、請求項１〜６の１つに記載の物品。
【請求項８】
前記粗いゾーンがサンドブラスト処理及び／又はエナメル塗装処理によるゾーンであることを特徴とする、請求項７記載の物品。
【請求項９】
前記１以上の抽出手段が局所化されていてもされていなくてもよく、及び／又は、前記照明ゾーンを対象とするのを可能にする別の処理と組み合わされていることを特徴とする、請求項１〜８の１つに記載の物品。
【請求項１０】
前記１以上の抽出手段が一方の面の全体に局所化されていてもされていなくてもよく、及び／又は、少なくとも１つのマスキング手段又は隠蔽被覆手段と組み合わされていることを特徴とする、請求項９記載の物品。
【請求項１１】
前記少なくとも１つのマスキング手段又は隠蔽被覆手段が前記基材上にスクリーン印刷した隠蔽層であることを特徴とする、請求項１０記載の物品。
【請求項１２】
前記導波路が前記基材に結合されているか、あるいはそれに連結されていて当該物品の別の部分に結合されるか又は当該物品を載置しようとする支持体に結合しようとするものであることを特徴とする、請求項１〜１１の１つに記載の物品。
【請求項１３】
１以上の加熱素子を含む、請求項１〜１２の１つに記載の物品、又は請求項１〜１２の１つに記載の物品を含み、且つ１以上の加熱素子を含む、調理用装置及び／又は高温を維持するための装置。
【請求項１４】
請求項１〜１３の１つに記載の物品を製造する方法であって、前駆ガラスを前記ガラス−セラミック基材を得るためセラミック化し、その後光導波路を前記ガラス−セラミック基材に結合させる、物品製造方法。
【発明の詳細な説明】
【技術分野】
【０００１】
本発明は、特に加熱素子をカバーする又は受け入れることを目的とした、ガラス−セラミック物品（又は製品）、特にガラス−セラミックプレート、に関するものであり、当該物品はその物品の少なくとも１つの選ばれたゾーンを照らすのを可能にする有利な照明手段を備えるものである。
【背景技術】
【０００２】
ガラス−セラミックレンジなどの物品の販売が、ここ数年増加している。この成功は、特に、そのようなレンジの魅力的な外観により及びそれらが容易に掃除できることにより説明される。
【０００３】
ガラス−セラミックは最初はガラスであり、すなわち前駆ガラス（あるいはマザーガラス又はグリーンガラス）と呼ばれるガラスであって、その特定の化学組成が、セラミック化と呼ばれる適切な熱処理によって制御された結晶化を引き起こすのを可能にする、ということが思い起こされる。この部分的に結晶化した特定の構造が、ガラス−セラミックに独特の特性を与える。
【０００４】
現在のところ、様々な種類のガラス−セラミックプレートがあり、各種のものは、所望の特性に好ましくない影響を及ぼす危険なくしてこれらのプレート及び／又はそれらを得るための方法に変更を加えるのは非常に困難であるということを前提とした、広範囲に及ぶ研究と多くの試験の成果である。レンジとして使用することができるためには、ガラス−セラミックプレートは一般に、非使用時に下にある加熱素子の少なくとも一部を隠蔽するのに十分小さいと同時に、状況（放射加熱、誘導加熱など）に応じ、ユーザーが作動中の加熱素子を安全のために目視で検知することができ及び／又は必要なら表示を読み取ることができるように十分大きい、可視範囲の波長の透過率を持っていなくてはならない。ガラス−セラミックプレートはまた、特に放射ヒーターを備えたプレートの場合に、赤外領域の波長の透過率が大きくなくてはならない。
【０００５】
大抵の現状のプレートは暗色の、特に黒色のものであるが、より明色（特に白色、例えばフランス国特許出願公開第２７６６８１６号明細書に記載されたように曇り度が少なくとも５０％の白色）のプレート、あるいは更に不透明コーティング（エナメル、塗料）及び／又は反射コーティング（マグネトロンスパッタリングで被着させた又は反射性顔料を取り入れた反射性被膜）を備えた透明プレートもある。
【０００６】
今までのところ、ガラス−セラミックで見られる照明効果は主として、加熱システムの作用によりもたらされ及び／又は表示部と切り離して生じさせられているが、特に最も一般的な、より限られた光透過性を有する暗色プレートについて、その他のゾーンの、とりわけより大きな範囲の機能上であるか及び／又は美観上の（加熱ゾーンなどの特定のゾーンの識別、照射されるロゴの発現など）、対象物に対する照明に関しては、加熱ゾーンの運転状態とは独立した、特別な解決策は開発されていない。
【０００７】
更に、放射ヒーターを備えたレンジの場合において、これまでは抵抗ヒーターを利用して加熱ゾーンを画定できているとしても、これは耐熱性のない誘導型レンジの場合にはもはや可能でなく、この場合はこれまで加熱ゾーンはスクリーン印刷によって画定されている。
【発明の概要】
【発明が解決しようとする課題】
【０００８】
本発明の目的は、改良された新しいガラス−セラミック物品（例えばプレートなど）、詳しく言うと、特に１以上の加熱ゾーンを積極的にマークするため、また場合によっては他のゾーンを機能上及び／又は装飾上（模様、ロゴ）照らすために照明される、新しいガラス−セラミック物品を提供することであり、そして物品のために用いられる加熱の様式がどのようなものであれ、また照明しようとするゾーンの色がどんなものであれ、本発明は暗色であり及び／又は非常に吸収性のプレートに特に適している。
【課題を解決するための手段】
【０００９】
この目的は、少なくとも１つの照明ゾーン（あるいは照明しようとするゾーン）を有する、本発明による新しい物品によって達成され、当該物品は、少なくとも１つのガラス−セラミック基材（特に、例えば少なくとも１つの加熱素子をカバーし又は受け入れることを目的とした、プレート）と、この基材に加えて、少なくとも１つの光学導波路（あるいは光導波路）とを含み、この導波路は照明ゾーンの外側の１辺で少なくとも１つの光源に連結されており、そして（当該物品は）照明ゾーンに、光源によって放射された放射線を抽出する手段を少なくとも１つ含む。
【００１０】
基材と導波路は同じ形状（両方とも例えば平面的であるか、あるいは必要に応じて同じ曲率を有する）であり、そして同じ方向に配向している（例えば平面的な構成部品の場合には、多層構造体におけるように、平行である）のが有利である。それらは、互いに接触していても接触していなくてもよく（例えば、それらは数ミリメートル又はセンチメートル、特に等間隔をあけて、引き離されていてもよく、基材と導波路との間に位置する空気を満たした空洞によって引き離されていてもよく、この空洞は場合により導波路を基材から熱的に及び機械的に分離する）、そして有利な実施形態においては、隣接し又は接触していて、コンパクトな構造体を形成しており、あるいは空気を満たした空洞によって引き離されている。
【００１１】
好ましくは、本発明による物品は、平面的な又はほとんど平面的な（すなわちその面積のうちの大部分が平面的であり、特に対角線に沿って平面性から０．１％未満、好ましくはほぼ０％、偏位している）ガラス−セラミックプレートから形成され（基材として）、そしてレンジとして使用することが意図され、また光導波路もやはり平面的である。この場合、本発明による物品は「平面的調理モジュール」と見なすことが可能である。
【００１２】
以下において、本発明による物品を「ガラス−セラミック」物品と見なすことも可能である。その理由は、この物品が何をおいてもガラス−セラミックを基礎材料としていて、ガラス−セラミックとして使用することが意図されているからであり、特に、とりわけ上述の光導波路を結合することによって改良のなされたガラス−セラミック構造体又は基材を基礎材料としていて、ガラス−セラミックの特定用途（レンジなど）を対象としているからである。
【００１３】
「ガラス−セラミック物品」との表現は、事実上のガラス−セラミックで製作された物品ばかりでなく、ガラス−セラミックに類似しているその他の任意の材料で製作された物品（例えばガラス−セラミックに類似の材料を基礎材料とする基材を備えたガスレンジ）をも意味するものと理解され、この類似の材料は特に、高温に耐えることができ、とりわけ膨張係数がゼロ又はほとんどゼロである（例えば、放射ヒーター付きで使用されるガラス−セラミックプレートの場合で、１５×１０-7Ｋ-1未満）。とは言え、好ましくは、それは事実上のガラス−セラミックで製作された物品である。
【００１４】
前述の通り、本発明でもって検討されるガラス−セラミック基材は、好ましくはプレートであり、使用時の位置において上面（可視の面）にしようとする主面（より大きな寸法の）、使用時の位置において下面（例えばコンロの本体又はハウジングにおいて、多くの場合隠されている）にしようとするもう一つの主面、及び端面（側面又は厚み）を有する。上面は一般に平面的であって滑らかであるが、プレートは少なくとも１つの突き出たゾーン、及び／又は少なくとも１つのくぼんだゾーン、及び／又は少なくとも１つの開口部（例えばプレートが雰囲気ガスバーナーを受け入れることを意図した開口部を取り入れている場合）を含むこともできる。同時に、プレートは、滑らかであるか、あるいは例えば積層により得ることができて強度を増加させる段差を備えている、下面を有してもよい。好ましい実施形態では、プレートは光導波路をよりうまく組み合わせるよう滑らかな下面を有する。
【００１５】
特にガラス−セラミック基材がプレートである場合には、光導波路は端面と２つの主面とを有するプレートでもあること、また前述の基材の下面（使用時の位置において）に都合よく結合されていることも好ましい。平面的な導波路が特に有利であって、そのような導波路は単純であり、効果的であり、そしていろいろな照明ゾーンを、それらの大きさ（特に小径の加熱ゾーン）、位置などはどうであれ、提供することができる（例えば、下記で説明するように適当な開口部を備え及び／又は処理を施して）。
【００１６】
導波路は、平行六面体形状であることができ、矩形であるか、任意の他の形状（その形状は場合により所望される照明ゾーンに依存する）の主面を備え、当該主面は場合により基材の主面と同じ寸法を有し（導波路は一般に基材の片面の少なくとも一部を覆い、主面の全部を覆ってもよい）、あるいは異なる寸法を有し、特に１以上の寸法（長さ、幅）がより小さくてよく（わずかであれあるいはわずかでなくとも、導波路は場合により基材の主面の小さな部分のみを覆う）、及び／又は１以上の寸法がわずかにより大きくてもよい（例えば、導波路は基材の１辺を越えて、特に１以上の光源を支持しているその辺の１つを光源が加熱領域から又はガラス−セラミック基材全体から遠くなるように越えて、突き出してもよい）。好ましくは、導波路は、プレートの寸法より小さいか又はそれと等しい１以上の寸法（特に周囲寸法）を有する。
【００１７】
複数部品（ガス又は空気を充填した空洞を備える）の導波路又はいくつかの無機及び／又は有機の層を取り入れている積層した導波路の使用が除外されないにしても、導波路は、それをより簡単にし、より小型にし、且つより軽くするよう、一体型であるのが有利である。導波路は、有利には、ガラス−セラミック基材（ガラス−セラミックレンジの場合一般に３又は４ｍｍ）より薄くてよく、また非常に薄くてもよく、例えばその厚さは少なくとも２ｍｍ、そして好ましくは６ｍｍ未満である（とりわけ重量とコンパクトさの理由から）。
【００１８】
導波路は、有機物及び／又はプラスチック（例えばポリカーボネート又はポリメチルメタクリレートＰＭＭＡ製）、あるいは無機物でよく、無機物であるのが好ましい。具体的に言うと、それは（有機又は無機、好ましくは無機）ガラスである。このガラスは、場合により、徐冷し又は強化するための化学的又は熱的処理を受けていてもよい。光導波路は、ガラスプレート（基材より小さいかそれと等しい外寸又は周囲寸法を有する）であるのが好ましい。ガラス−セラミック製、特に透明なガラス−セラミック製の導波路を用いることは、除外されない。
【００１９】
導波路は、透き通っているか透明であるのが有利である。ピーク波長前後の透過率が５０％以上であるのが好ましく、７０％以上であるのが更に好ましい。それは、透明なソーダ−石灰−シリカガラス（特に９０％以上の光透過率ＴLを有する）、あるいは超透明ソーダ−石灰−シリカガラス（特に９１．５％以上の光透過率ＴLを有する）、あるいはホウケイ酸ガラスなどで製作されるのが好ましい。とは言え、より色の濃いガラス、あるいは厚さの全体にわたりわずかに着色されているガラス、あるいは透き通ってわずかにくすんだガラス−セラミック、例えばＥｕｒｏｋｅｒａ社製ガラス−セラミックのＫｅｒａＬｉｔｅ、を使用することは除外されない。
【００２０】
このように、本発明による物品は、その色がどんなであろうと、透き通っていようと、濃かろうと、透明であろうと（例えばＥｕｒｏｋｅｒａ社及びＫｅｒａｇｌａｓｓ社によりＫｅｒａＬｉｔｅの商標名で販売されているプレートなどのように）、あるいは半透明であろうと、任意のガラス−セラミックを基礎材料とすることができ、特に、且つ有利には、光透過率が小さく、５％より小さい黒色のガラス−セラミック（例えばＥｕｒｏｋｅｒａ社によりＫｅｒａｂｌａｃｋの商標名で販売されているプレートなどのように）を基礎材料とすることができ、及び／又は例えば下にある構成部品を、隠蔽するのを可能にするような不透明性を有することができ（物品又は基材）、ガラス−セラミック基材の濃い色は、とりわけ当該基材に外部から結合される光導波路でもって、目標とする１以上の光放射ゾーン（照明ゾーン）を作り出すのを妨げない。
【００２１】
このように、本発明による物品は、機能及び／又は装飾目的（イラストレーション、ロゴ、文字による標識など）の１以上の光放射ゾーンを持つことができ、これらのゾーンは一般に、ガラス−セラミック基材の主面（とりわけ上面）とその基材の厚さを通して観測される。この１つ以上の光放射ゾーンは、プレートの任意のゾーン（加熱ゾーンを含めて）に位置することができ、そして更に、複数の異なる光放射（又は照明）ゾーン（色、輝度レベルが異なり、及び／又は各ゾーンは、照明ゾーン、導波路の切断部、抽出手段などに応じて、それ自体が異なる色を見せることができ、例えば１つのゾーンが加熱ゾーンを取り巻く二色の円の形を取ることができる）、及び／又は機能が別々（照明、装飾、表示など）のゾーンを持つことが可能である。物品の構造部材（基材）がガラス−セラミックプレートで製であり、少なくとも１つの加熱素子を覆い又は受け入れようとするものである場合には、物品は、使用中であるか又はなおも高温の加熱素子を検出するのを可能にする１以上の照射（又は照明）用のゾーン、とりわけ加熱源に整合したゾーンをおのおのが取り巻く１以上の円形あるいは幾何学模様のゾーン、を持つことが有利であろう。
【００２２】
一つの特に好ましい実施形態では、プレートの形をした光導波路は、特に少なくとも１つの照明ゾーンが加熱ゾーンを取り囲みその存在を示そうとするものである場合に、照明ゾーンに少なくとも１つの開口部を有する。
【００２３】
これに関連して、本発明において「照明ゾーン」との表現は、物品の一つのゾーン、特に、導波路のあるいは場合により基材の（どちらを考慮しているかに応じて）ゾーンであって、基材に設けられ（上面を介して観測して）実質的に同一の寸法を有する照明ゾーンに整合して位置する（使用時の位置において、下方に）ゾーンを意味するものと解される、ということが注目される。「照明ゾーンの外側」との表現は、前述のゾーンの外側の、特に前述のゾーンとの間隔を開けた（ガラス−セラミック基材上の照明ゾーンに整合したゾーンとの間隔を開けた）、ゾーンを意味するものと解される。
【００２４】
加熱ゾーンに整合した（それに整合して位置させようとする）光導波路の各開口部には、いくつかの利点があって、それはとりわけ加熱素子の慣用的な取り込みを、特に加熱素子をガラス−セラミック基材の加熱を必要とするゾーンの近くに配置することが求められる場合に、可能にすることができる（この場合、開口部の直径は加熱素子の外形より大きいか等しく、好ましくはそれより大きい）。更に、この開口部はまた、加熱ゾーンを指し示すために必要に応じて設けられる照明ゾーンに、とりわけその端部の選定（傾いているか、傾いていないか、あるいは丸みを帯びているか）とそれらの考えられる表面構造又はコーティング（開口部の端部は本発明の定義するところにおいて放射線を抽出するための手段を必要に応じて形成する）、すなわちエナメル塗料、サンドブラスト処理又は酸でのエッチングによる粗化、傾斜角などにより、影響を及ぼす。１以上の開口部の端部はまっすぐでも丸みを帯びていてもよいが、それらは、光（放射線）をよりうまく抽出し光導波路によって１以上の照明ゾーンへ伝送するのを可能にするよう、及び／又は放射線の方向を抽出ゾーン（又は手段）に向けて変更するよう、特に約４５°の角度で、斜角をつける（特に面取りする）か傾斜させるのが好ましい。従って、導波路は１以上の円錐台状の開口部を有することが好ましい。
【００２５】
各開口部は、案内される放射線の最適な反射を保証するよう、例えば金属の接着テープ又は金属層又は鏡面層又は銀の被着を利用して、反射性にしてもよい。基材に向けて抽出される光の量を増加させるために、金属又は鏡面層は、特に、関係している１以上の開口部を取り囲んでいる導波路の端部の少なくとも一部で、導波路のガラス−セラミック基材（平面状調理用モジュールのための下面）の反対側の面に被着させ、存在させることができる。
【００２６】
本発明による物品は、おのおのが１以上の照明ゾーン専用にされた複数の導波路を含んでもよいが、それでもなお、必要に応じ上述のとおりの開口部を備えた、単一の導波路が有利であって、この導波路は特に製造と組み立てをより容易にする、ということが注目される。
【００２７】
光導波路は一般に、接着及び／又はクリップでの締め付けによって基材に結合されるが、封入などによって接合させることもできる。上述のように、それは基材の外側に位置し、従って、ガラス−セラミックの場合によくあるように、特に基材の色が濃い場合に、とりわけ光を所望の照明ゾーンへと案内するのを可能にする。
【００２８】
導波路が基材に直接接合されない別の実施形態では、光導波路は作動中にガラス−セラミック基材へ連結されてもよいが、物品の別の部分に又はその上に物品が載置される支持体に結合させてもよく、例えば調理モジュール又は装置の場合には、ガラス−セラミック基材がその上に載置される調理装置のハウジングに結合させてもよい（このハウジングは場合により必要に応じて物品の一部を形成する）。
【００２９】
本発明による物品はまた、本発明により規定したとおりの照明ゾーンの外側で、導波路の内側（その厚さ内）で光を伝播する（特に全内部反射によって又は金属の反射によって）ように導波路に結合された（導波路に取り付けられて、導波路が光線を伝送することができるように導波路へそれらを放射することにより導波路と共働する）、とりわけ導波路の端面のへり又は主面のうちの一方のものの端部（特に空洞、溝、ストリップなどに収容された）に結合された、少なくとも１つの光源も含み、この１以上の光源は導波路の端面又は側面へ放射しそれに結合されるのが好ましい。
【００３０】
１以上の導波路と結合された光源が、とりわけ照明ゾーンが１以上の加熱ゾーンを指し示すのに用いられる場合に、その１以上の照明ゾーンと間隔を開けているということは、特に、プレートに結合された加熱素子からの熱による光源への損傷を防ぐこと、プレートと共働するその他の構成部品（加熱素子）によって占められている下方領域の部分に大きく関係した問題を未然に防ぐこと、光源を増やすことなしに照明ゾーンを増やす（１以上の導波路の構造に応じて）ことを可能にするとともに、光源を隠蔽するのを可能にする（例えば、それらを物品の周囲へ移動させる場合に、基材の周囲に不透明なエナメル塗料の層を適用することによって）。
【００３１】
複数の光源を設けることが可能であり（場合によりそれらの数と配置は照明をより均一にするために変動する）、及び／又は光源は連続であっても不連続であってもよく、それは、一般に整列されて程度の差はあれ一定の間隔を開けた（発光）ダイオード（ＬＥＤ）により、及び／又は場合によっては、光の導入を導波路の導入端部（好ましくは端面）に沿ってファイバーから横方向に抽出することにより行う光ファイバーにより、形成されるのが好ましい。特に容積、有効性、耐久性、及び環境条件（熱など）への耐性の点から見て、本発明においてはダイオードが特に有利である。
【００３２】
ダイオードを基にした光源は封入してもよく、すなわちそれは半導体チップとこのチップを封入するエポキシ又はナイロン樹脂の被覆とを含むことができる。
【００３３】
ダイオードはまた、例えばほぼ数百ミクロンあるいはミリメートルの寸法と、所望により最小量の封入材料、例えば保護目的のものとを有する、コリメートレンズなしの半導体チップであってもよい。
【００３４】
ダイオードは支持体によって支持されてもよく、むき出しであってもよく、あるいは実装品であってもよく、この実装品は場合により、発光効率を更に増加させるよう一群のダイオードの周囲を処理された及び／又は反射性にされた、例えば導波路へと放射された放射線をよりうまく導くよう、ラッカーもしくは塗料及び／又は鏡面層、及び／又は白色もしくは金属光沢の反射体で被覆された、（平坦な又は傾いた）表面を有してもよい。
【００３５】
１以上の光源を、クリップでの締め付け、接着などにより、特に特定の構成部品を介して、接合（とりわけ導波路に）してもよい。例えば、ダイオードの場合は、金属ストリップ内に収容された支持体自体にはんだ付けされたダイオードを、導波路の端面にストリップをクリップで締め付け又は接着することによって、搭載することが可能である。
【００３６】
光源（及びそれらの電源と制御機器）は、必要条件に応じ、所望どおり複数の照明ゾーンを同時に又は別々に照明するのを可能にするよう、別々であってもそうでなくてもよい。
【００３７】
本発明による物品はまた、照明ゾーンに、１以上の光源により放射された放射線を抽出する少なくとも１つの手段を含む。
【００３８】
この抽出手段は、詳しく言えば、１以上の散乱用構成要素又は処理であることができる。例えば、特に導波路の、表面に追加された層及び／又は表面に適用された何らかの特異的な処理もしくは表面構造により（局所的なものであれ表面領域全体にわたるものであれ）、例えば、散乱用構成要素の連続又は不連続の網状組織を形成する、レーザーエッチング、エナメル印刷、化学的（酸など）又は機械的（サンドブラストなど）なエッチングなどにより、抽出手段を得ることができる。構成要素が別々に分布することの利点は、光源を停止したときに透明となる導波路を得るということ（例えば０．０３ｍｍ2と０．２ｍｍ2の間の散乱用構成要素を用いて）であろう。これは、本発明による物品を通して見えるものがそれを使用しない（ヒーターと照明を停止）ときに遮られないこと、及び／又は照明を均一にすることを意味する。散乱手段の密度は、特に、選ばれたゾーンの照明をより均一にするよう調整することができる。
【００３９】
散乱用の構成要素は表面（特に導波路の）に存在してもよく、あるいは抽出用の領域を、例えば内部レーザーエッチング技術を使って、導波路の厚さ内に設けてもよい。１以上の抽出手段が導波路からの放射線を所望の照明ゾーンへと抽出するのを可能にする。
【００４０】
一つの実施形態において、導波路は、その主面（特に下面又はガラス−セラミック基材の反対側の面）に、あるいは所望によりその厚さ内に、少なくとも１つの抽出層又は抽出領域を含み、この層又は領域は、光の少なくとも一部を基材の方に向かせたその主面（平面的な調理モジュールの場合導波路の上面）を通って出て行かせるように、１以上の散乱用構成要素の可変の分布により形成される。
【００４１】
導波路が上述の開口部を少なくとも１つ有する場合、開口部の端部の形状と粗さを、上述のように光の局所的な制御された抽出を可能にするように加工するのも有利である。
【００４２】
抽出領域の形状は、幾何学的なものであれそうでないものであれいかなるものでもよく、１以上の部分があってもよく、そして光源の軸線及び／又は導波路の軸線に対しておおよそ垂直な方向において基材の一部分（照明ゾーン）の上に、幾何学的ゾーン、イラストレーション、標識（矢印、文字など）、模様（同じものであれ異なるものであれ）を形成することができる。１以上の抽出手段を局在させても（斜面（開口部の場合）、及び／又は例えば表面のサンドブラスト処理などの局所的表面構造化）させなくてもよく（導波路の一方の面の全部）、そして必要に応じ、照明ゾーンを対象とするのを可能にする別の処理と組み合わせてもよく、例えば、下記で説明し解説するように、基材上にスクリーン印刷した隠蔽層（特定のゾーンをマスクし光が通り抜けるのを防ぐ）と組み合わせてもよい。
【００４３】
１以上の散乱用構成要素は、反射して機能してもよく及び／又は透過して機能してもよい。反射の場合は、それは５０％より大きく、特に７０％より大きく、好ましくは９０％より大きい光反射率（ＲL）を有し、光は標準的に、拡散用構成要素を含む面の反対側の面の方向に抽出される。透過の場合は、それは５０％より大きく、特に７０％より大きく、好ましくは９０％より大きい光透過率（ＴL）を有し、光は標準的に、拡散用構成要素を含む面から抽出される。
【００４４】
限定されない例として、例えば導波路上に位置する抽出手段が白色のエナメルである場合、それは導波路の下面（又はガラス−セラミック基材と反対側の面）に位置するのが好ましく、抽出はスクリーン印刷されていない側の方がより多くなる（この場合、抽出は主に基材に向かって起こり、例えば調理モジュールの場合に物品が搭載されるハウジングに向かっては、起こらない）。抽出手段を導波路上に形成するのにサンドブラスト処理を使用する場合には、処理した面は一方の及び／又は他方の面であることができる。
【００４５】
本発明による物品は、必要に応じて、ほかの構成部品及び／又は層を含んでもよい。例えば、それが調理用モジュールである場合には、物品は１以上の追加の機能性又は装飾性構成部品（フレーム、コネクタ、ケーブル、制御部品、表示装置、例えば７セグメントの発光ダイオード又は液晶表示装置、デジタル表示装置付きのタッチ式電子制御パネルなど）を備え（あるいはそれが組み合わされ）てもよい。それは、必要に応じ特に抽出を目的としたコーティングに加えて、エナメル、塗料などを基にした種々の機能性及び／又は装飾性コーティングを含んでもよい。例えば、基材の面のうちの一方は、装飾、マスキング（光源を隠すための）、又はその他の目的（照明をより均一にするなど）のためのエナメル層を含んでもよい。光導波路も、種々のコーティングを含むことができ、例えばそれは、例えば調理用モジュールにおいて、迷光がハウジングの底部を照射するのを防ぐように金属被覆してもよい（この金属被覆は、場合により、導波路の面の一方又は他方に必要に応じ存在する開口部の内側端部の付形前又は付形後に行われる）。
【００４６】
本発明はまた、調理のための及び／又は高温を維持するための装置（又は機器）であって、本発明による物品（例えばコンロ、組み込みレンジ、オーブンなど）を少なくとも１つ含み、そして必要に応じ、１以上の加熱素子、例えば１以上の放射もしくはハロゲン素子、及び／又は１以上の雰囲気ガスバーナー、及び／又は１以上の誘導加熱手段、を含む装置（又は機器）にも関する。本発明による物品は、本発明の定義における上述の素子以外の１以上の加熱素子を含む調理用装置からなることもできる。本発明は、単一のプレートを含む調理装置といくつかのプレートを含む装置の両方を包含し、これらのプレートのおのおのは、必要に応じ単一のヒーター又は複数のヒーターを装備している。「ヒーター」という表現は、調理用ステーションを意味するものと解される。本発明はまた、１以上の調理プレートがいくつかのタイプのヒーター（ガスバーナー、放射、ハロゲン又は誘導ヒーター）を含む混成調理装置にも関する。更に、本発明は、コンロ又はレンジ台上面のための調理プレート又はモジュールの製造に限定されない。本発明により製造される物品は、温度の変動に対して非常に鈍感である必要があるその他の平面的なモジュール又はプレートであってもよい。
【００４７】
このように、本発明による物品は、耐熱性が良好である光放射物品（照らされることを予定している１以上の照明ゾーンを有する）であって、種々のタイプの加熱（誘導、放射、又はハロゲン、ガス加熱など）の使用と、加熱素子の大きさはどんなであれ、相性がよく、耐引っかき性であるとともに耐熱衝撃性であり、経年劣化に対し回復力があり、普通に求められる不透明性を提供するとともにガラス−セラミックの応用において遭遇する様々な機械的応力に耐え、且つ既存の製造ラインとの相性が完全である光放射物品である。それは、製造するのと使用するのが容易であり、目標とされる均一な照明ゾーンを有するとともに、光源を高温から保護し、これはそれらの効率と耐用年数とに可能な限りの影響を及ぼすことができる。このシステムは更に、必要に応じて加熱ゾーンの能動的で局所化された標識表示（オン／オフ状態、温度に対して調整される色又は輝度、光による指示など）を可能にするとともに、平面的調理モジュールの場合に全体を小さいままにする。
【００４８】
本発明はまた、本発明による物品を製造するための方法であって、前駆ガラス（又はマザーガラスあるいはグリーンガラス）をガラス−セラミック基材を得るためセラミック化し、その後光導波路を結合させる、詳しく言えばそれをガラス−セラミックに接合する製造方法にも関する。
【００４９】
ガラス−セラミックプレートは一般に次のように製造されることが思い出される。すなわち、溶融炉においてガラス−セラミックを構成するよう選ばれた組成を有するガラスを溶融させ、次に溶融したガラスをローラー間を通過させることにより圧延して標準的なリボン又はシートにし、そしてそのガラスリボンを所望の寸法に切断して製造される。その後、こうして切断したプレートをそれ自体は周知の方法でセラミック化し、このセラミック化は、ガラスを「ガラス−セラミック」と呼ばれる多結晶材料に変えるようにプレートを選ばれた温度プロファイルで焼成するものであり、そしてそのガラス−セラミックの膨張率はゼロ又はほとんどゼロであって、ガラス−セラミックは場合により７００℃ほどの熱衝撃に耐えることができる。セラミック化は一般に、温度を一般にはガラスの変態領域の近くにある核生成温度まで徐々に上昇させる工程、核生成が起こる数分間継続する変態工程、セラミック化の上限に至るまで温度をもう一度徐々に上昇させる工程、セラミック化の上限の温度を数分間保持する工程、そしてその後周囲温度まで急冷する工程、を含む。必要に応じて、例えばジェット水流での切断又はスコアリングホイールでの機械的トレーシングなどによる、切断工程（一般にセラミック化前の）と、その後の付形工程（研削、斜角付け加工など）も含む。
【００５０】
このほかの詳細と有利な特徴は、添付の図面を参照してなされる本発明の限定しない実施形態の以下の説明から明らかになろう。
【図面の簡単な説明】
【００５１】
【図１】少なくとも２つの照明ゾーンを有する本発明による物品の模式断面図である。
【図２】加熱ゾーンとの境界を持つ少なくとも１つの円形照明ゾーンを有する本発明による別の物品の模式断面図である。
【図３】動作中の照明のある本発明による物品の模式上面図である。
【図４】種々の可能性のある光導波路を備えた本発明による物品の模式上面図である。
【図５】局所的な抽出手段を備えた本発明による物品の模式断面図である。
【図６】種々の層を備え及び／又は種々の処理を施され、そのうちの１つが光を抽出する役目を果たす、本発明による別の物品の模式断面図である。
【図７】種々の層を備え及び／又は種々の処理を施され、そのうちの１つが光を抽出する役目を果たす、本発明によるもう一つの物品の模式断面図である。
【発明を実施するための形態】
【００５２】
図面において、同じ参照符号は物品の同じ部分を示している。
【００５３】
図１において、物品１は、平滑な上面３と、突起５を備えた下面４（この面は場合により突起を含まないのも有利である）とを有するガラス−セラミックプレート２（基材）を含む平面的な調理モジュールであって、基材の下に接続された光導波路６も含み、この導波路は厚さが３又は６ｍｍの透明なホウケイ酸ガラスのプレートの形を取っており、上面７、下面８、及び端面９を有していて、そしてこの導波路は、ストリップ１２に収容された支持体により支持された複数のＬＥＤ  １１によって形成された光源１０（これはコンパクトなモジュールを形成するように、プレート２の範囲を超えて突き出さない）に連結されており、これらのＬＥＤが矢印により示したように導波路内へ放射線を放出する。上記光源は、照明ゾーン及び加熱ゾーンの外側の導波路の端面の部分に位置しており、そして物品は光源により放出された放射線を抽出するための手段を更に含み、この手段は、所望の照明ゾーン（図示していないが、動作中に、矢印により示されるように抽出ゾーンに整合して基材の上面に出現する）のそれぞれの下におのおのが位置する少なくとも２つのエナメル塗装された又はサンドブラスト処理されたゾーン１３の形を取っている。
【００５４】
図２の変更した実施形態では、物品（その基材はここでは突起を取り去られた下面を有する）は、放射線の抽出のために、開口部１４を含み、これは直径が例えば１７０ｍｍであり、ガラス−セラミックプレートの下の当該開口部に収容することができる下方に位置する加熱素子（図示せず）と整合して光導波路６中にあって、開口部の端部１５は４５°に斜角をつけられ／面取りされ、粗化されていて、この斜面（面取りした面）と粗さが光を抽出するための手段を構成しており、斜面の角度は抽出光の量を最大限にするよう最適化され、粗さが光の分布を均一にして、こうして光は選ばれた照明ゾーン（図示しておらず、図３に示した事例と同じように、動作時に加熱ゾーンの周りの基材の上面に出現する）に向けて方向を変更される。単一導波路内の開口部に代わるものとして、複数の平面的光導波路（６ａ、６ｂ）を使用してもよく、これは覆いのない１以上のゾーン（開口部）が見られるのを可能にし、そして所定の１以上の照明ゾーンを形成して、この場合、少なくとも１つの別の光源１６（ストリップ１２に収容された支持体により支持された複数のＬＥＤ  １７で構成される）が別の導波路に連結される（この別の光源は導波路が単一である第１の事例では任意選択的である）。
【００５５】
図２に示した実施形態では、第１の光源１０はプレート２の範囲を越えて延在して示されており（図１の変更実施形態として）、そして第２の光源１６が、上記２つの光源位置の変形実施形態として、導波路の主軸から離れて示されている。この実施形態は、回路アセンブリに供給する電力が大量の熱を発生させ電気系統への損傷を防ぐためそれを効果的に消散させることが必要な高出力のＬＥＤを採用する場合に、透明度の低いガラス−セラミックプレートを照らすのに特に有効である。効果的な放射素子は一般にかさばるので、この解決策は放射素子１８をＬＥＤの背後に配置するのを可能にするよう光の導入を遠ざけて行うのを可能にする。
【００５６】
図３の実施形態では、物品は４つの加熱ゾーン１９を有し、その下に４つの加熱素子（上方からは見ることができない）が位置しており、この場合光導波路には図２に示したタイプの開口部が４つ設けられており、こうして、光源を稼働させたときに４つの照明ゾーン２０に独立して（特に複数の光導波路がある場合）、あるいは同時に（特に複数の開口部を有する１つの光導波路がある場合）光を当てることができる。その他の装飾的な又は機能性のゾーン（ロゴ２１、銘辞２２、標識２３、制御ボタン又は指示器２４）を、例えばエナメル塗料を使って（例として模様２３）又は他の照明ゾーン（プレートの周縁部のフレームに光を当ててロゴなど照らす）を用意して、例えばゾーン２０の、導波路の開口部（導波路の穴の形状はガラス−セラミックプレートと接触する素子の取り入れも可能にするよう変更される場合もある）を使って、及び／又は抽出手段（例えば図１における手段１３など）を使って、設けあるいは表示することもできる。
【００５７】
図４の実施形態では、本発明による物品は、必要とされる照明のタイプ（ゾーン）に応じて、図示した（物品の下面にあるため破線で）１つの及び／又はその他の光導波路を含む。あるいはまた、光導波路は、ガラス−セラミック基材と同じ形状及び／又は最大限度の寸法を有する（且つ必要に応じて、１以上の内部開口、特に図２に示したように円錐台状の及び／又は斜角をつけた開口部、を含む）単一の矩形ガラスプレートでもよい。この１以上の光導波路は、照明ゾーンにロゴなどの非常に特殊な形状を与えるように隠蔽用のコーティング又はマスキング手段と組み合わせてもよい（図６及び７で例示するように）。図４に示したように、例えば、中央のロゴを特別に照らす（例えばそのロゴの端部の境界を示すその他の手段と組み合わせて）ため断面が変化する（その末端部で幅がより広い）を有する細長い光導波路６ｃ、及び／又は照明ゾーン１９に光を当てるための中央の開口部（図３に示したものと同じ種類の）を有する矩形の光導波路６ｄ、及び／又は例えばガラス−セラミックプレートの端部に光を当てるように、プレートの長さの一部分だけに延在する一定断面積の細長い２つの光導波路６ｅ、を使用することが可能である。
【００５８】
図５の実施形態では、使用する１以上の抽出手段（例えば図４の導波路６ｅを有する）を局在させることができ、例えばその手段は表面を局所的にサンドブラスト処理したもの２５（光の進路が矢印で示されている）であることができる。この実施形態では、導波路は基材と接触せず、基材から距離ｄのところにあるが、これにもかかわらず導波路は場合により、基材に結合されてもよく（基材に固定されてそれとともに移動させることができる）、あるいはそれに連結し、物品を載置しようとする支持体（例えば、図示しないハウジング）には結合されない、ということも認められよう。
【００５９】
図６の実施形態では、使用する１以上の抽出手段（例えば図４の導波路６ｃと６ｄを有する）を局在させることができ、例えばその手段は１以上の傾斜面２６、導波路に施した局所的なサンドブラスト処理部分又は局所的なスクリーン印刷部分であることができ、あるいは上記１以上の手段は局在していなくてもよく（例えば導波路の全領域をサンドブラスト処理し又は全領域にスクリーン印刷を施してもよい）、当該手段は所望により、図６では特に基材上に位置する、例えば散乱用スクリーン印刷層などの、その他の抽出又は散乱手段と組み合わされ、及び／又は特に基材上に位置する隠蔽手段２８（特定の領域を隠し光の通過を阻止する）、例えば特定の外形を持った照明ゾーンの形成（光の進路を矢印で示す）を可能にする隠蔽用のスクリーン印刷層など、と組み合わされる。上記のように、この実施形態では、導波路は基材と接触せずに、基材から距離ｄのところにある。
【００６０】
図７の実施形態では、基材の下面の隠蔽用手段２８に加えて、コーティング２９も使用され、例えば、より多くの光を基材の方へ導くように、導波路の下面にスクリーン印刷したコーティング（例えば反射コーティング）が使用され、光の進路が矢印によって示されている。
【００６１】
本発明によるガラス−セラミックプレートなどの物品は、コンロやレンジ台上面のための新しい種類の調理用プレートを製造するために特に有利に使用することができるが、オーブンの壁の構成部材や壁（例えばドアやドアの部品）などを製造するためにもやはり有利に使用することができる。
【図１】
0005905895.tif 000002
【図２】
0005905895.tif 000003
【図３】
0005905895.tif 000004
【図４】
0005905895.tif 000005
【図５】
0005905895.tif 000006
【図６】
0005905895.tif 000007
【図７】
0005905895.tif 000008